(57)【要約】【課題】巻上機の内部において摩耗粉が発生したことを外部に報知できるエレベーターの巻上機の摩耗粉検出装置を提供する。【解決手段】エレベーターの巻上機の摩耗粉検出装置は、エレベーターの巻上機の内部において前記巻上機の回転軸を支持する軸受の下方に設けられ、前記巻上機の内部の油に含まれた摩耗粉を磁力により吸着する吸着部と、前記巻上機の内部において前記吸着部が摩耗粉を吸着したことを検出する検出部と、前記検出部から前記巻上機の外部に引き出され、前記検出部の検出結果を示す信号を出力する出力部と、を備えた。【選択図】図３
2019177995.tif 000002
【特許請求の範囲】
【請求項１】
エレベーターの巻上機の内部において前記巻上機の回転軸を支持する軸受の下方に設けられ、前記巻上機の内部の油に含まれた摩耗粉を磁力により吸着する吸着部と、
前記巻上機の内部において前記吸着部が摩耗粉を吸着したことを検出する検出部と、
前記検出部から前記巻上機の外部に引き出され、前記検出部の検出結果を示す信号を出力する出力部と、
を備えたエレベーターの巻上機の摩耗粉検出装置。
【請求項２】
前記吸着部は、
磁力を発生させる磁力発生部と、
前記磁力発生部に対向し、前記磁力発生部が発生した磁力により前記磁力発生部の方向に移動する摩耗粉の進行を妨げ、当該摩耗粉にかかる磁力により前記磁力発生部の方向に移動する受け部と、
を備え、
前記検出部は、前記受け部が摩耗粉にかかる磁力により前記磁力発生部の方向に移動した際に前記受け部と接触することにより前記吸着部が摩耗粉を吸着したことを検出する請求項１に記載のエレベーターの巻上機の摩耗粉検出装置。
【請求項３】
前記磁力発生部と前記受け部との間に設けられ、前記受け部に対して前記磁力発生部から離れる方向への荷重をかける弾性部、
を備えた請求項２に記載のエレベーターの巻上機の摩耗粉検出装置。
【請求項４】
前記出力部は、前記巻上機の排油口を介して前記巻上機の外部に引き出された請求項１から請求項３のいずれか１項に記載のエレベーターの巻上機の摩耗粉検出装置。
【発明の詳細な説明】
【技術分野】
【０００１】
この発明は、エレベーターの巻上機の摩耗粉検出装置に関する。
【背景技術】
【０００２】
特許文献１は、エレベーターの巻上機の摩耗粉回収装置を開示する。当該摩耗粉回収装置によれば、巻上機の内部の油に含まれた摩耗粉を回収し得る。
【先行技術文献】
【特許文献】
【０００３】
【特許文献１】特開平８−１９２９７４号公報
【発明の概要】
【発明が解決しようとする課題】
【０００４】
しかしながら、特許文献１に記載の摩耗粉回収装置においては、摩耗粉の発生を外部に報知しない。このため、巻上機の軸受が摩耗して破損することもある。
【０００５】
この発明は、上述の課題を解決するためになされた。この発明の目的は、巻上機の内部において摩耗粉が発生したことを外部に報知できるエレベーターの巻上機の摩耗粉検出装置を提供することである。
【課題を解決するための手段】
【０００６】
この発明に係るエレベーターの巻上機の摩耗粉検出装置は、エレベーターの巻上機の内部において前記巻上機の回転軸を支持する軸受の下方に設けられ、前記巻上機の内部の油に含まれた摩耗粉を磁力により吸着する吸着部と、前記巻上機の内部において前記吸着部が摩耗粉を吸着したことを検出する検出部と、前記検出部から前記巻上機の外部に引き出され、前記検出部の検出結果を示す信号を出力する出力部と、を備えた。
【発明の効果】
【０００７】
この発明によれば、吸着部が摩耗粉を吸着したことを検出した際、出力部は、検出結果を示す信号を巻上機の外部に出力する。このため、巻上機の内部において摩耗粉が発生したことを外部に報知できる。
【図面の簡単な説明】
【０００８】
【図１】実施の形態１におけるエレベーターの巻上機の摩耗粉検出装置が適用される巻上機の斜視図である。
【図２】実施の形態１におけるエレベーターの巻上機の摩耗粉検出装置が適用されるエレベーターの巻上機のギヤの斜視図である。
【図３】実施の形態１におけるエレベーターの巻上機の摩耗粉検出装置を説明するための図である。
【図４】実施の形態１におけるエレベーターの巻上機の摩耗粉検出装置の詳細を説明するための図である。
【図５】実施の形態１におけるエレベーターの巻上機の摩耗粉検出装置の詳細を説明するための図である。
【図６】実施の形態２におけるエレベーターの巻上機の摩耗粉検出装置の詳細を説明するための図である。
【図７】実施の形態２におけるエレベーターの巻上機の摩耗粉検出装置の詳細を説明するための図である。
【発明を実施するための形態】
【０００９】
この発明を実施するための形態について添付の図面に従って説明する。なお、各図中、同一または相当する部分には同一の符号が付される。当該部分の重複説明は適宜に簡略化ないし省略される。
【００１０】
実施の形態１．
図１は実施の形態１におけるエレベーターの巻上機の摩耗粉検出装置が適用される巻上機の斜視図である。
【００１１】
図１において、エレベーターの機械室１は、図示されない建築物の上部に設けられる。エレベーターの巻上機２は、機械室１に設けられる。巻上機２は、エレベーターの図示されないかごを昇降させる駆動力を発生させ得るように設けられる。
【００１２】
複数の摩耗粉検出装置３は、巻上機２の内部の油に含まれた摩耗粉を検出し得るように設けられる。複数の摩耗粉検出装置３の一側は、巻上機２の内部に配置される。複数の摩耗粉検出装置３の他側は、巻上機２の排油口４とＬ字のパイプ５とを介して巻上機２の外部に引き出される。
【００１３】
次に、図２を用いて、巻上機２の要部を説明する。
図２は実施の形態１におけるエレベーターの巻上機の摩耗粉検出装置が適用されるエレベーターの巻上機のギヤの斜視図である。
【００１４】
図２に示されるように、巻上機２は、複数のギヤ６を備える。複数のギヤ６の各々は、複数の回転軸７の各々に回転自在に支持される。例えば、複数の回転軸７の各々は、鉄で形成される。複数の回転軸７の各々は、対応した軸受８に支持される。
【００１５】
次に、図３を用いて、摩耗粉検出装置３を説明する。
図３は実施の形態１におけるエレベーターの巻上機の摩耗粉検出装置を説明するための図である。
【００１６】
図３に示されるように、複数の摩耗粉検出装置３の各々は、吸着部９と検出部１０と出力部１１とを備える。
【００１７】
吸着部９は、巻上機２の内部において対応した軸受８の下方に設けられる。具体的には、吸着部９は、水平投影面上において軸受８に隣接する位置に設けられる。吸着部９は、巻上機２の内部の油に含まれた摩耗粉を磁力により吸着し得るように設けられる。
【００１８】
検出部１０は、巻上機２の内部に設けられる。具体的には、検出部１０は、吸着部９に隣接する位置に設けられる。検出部１０は、吸着部９が摩耗粉を吸着したことを検出し得るように設けられる。
【００１９】
出力部１１は、検出部１０から巻上機２の外部に引き出される。具体的には、出力部１１は、巻上機２の排油口４とＬ字のパイプ５とを介して巻上機２の外部に引き出される。出力部１１は、検出部１０の検出結果を示す信号を出力し得るように設けられる。
【００２０】
次に、図４と図５とを用いて、摩耗粉検出装置３の詳細を説明する。
図４と図５とは実施の形態１におけるエレベーターの巻上機の摩耗粉検出装置の詳細を説明するための図である。
【００２１】
図４と図５とに示されるように、吸着部９は、磁力発生部１２と受け部１３と弾性部１４とを備える。
【００２２】
例えば、磁力発生部１２は、磁石である。磁力発生部１２は、磁力を発生させ得るように設けられる。
【００２３】
受け部１３は、非磁性体で形成される。受け部１３は、磁力発生部１２に対向する。受け部１３は、磁力発生部１２が発生した磁力により磁力発生部１２の方向に移動する摩耗粉の進行を妨げ得るように設けられる。受け部１３は、摩耗粉にかかる磁力により磁力発生部１２の方向に移動し得るように設けられる。
【００２４】
受け部１３は、移動案内部１５を備える。移動案内部１５は、受け部１３の要部から磁力発生部１２の側に突き出す。移動案内部１５は、磁力発生部１２を貫通する。移動案内部１５は、受け部１３の移動を案内し得るように設けられる。
【００２５】
例えば、弾性部１４は、コイルスプリングである。弾性部１４は、磁力発生部１２と受け部１３との間に設けられる。弾性部１４は、受け部１３に対して磁力発生部１２から離れる方向への荷重をかけ得るように設けられる。
【００２６】
例えば、検出部１０は、マイクロスイッチである。検出部１０は、磁力発生部１２に対して受け部１３とは反対側に設けられる。検出部１０は、受け部１３が摩耗粉にかかる磁力により磁力発生部１２の方向に移動した際に移動案内部１５と接触することにより吸着部９が摩耗粉を吸着したことを検出し得るように設けられる。
【００２７】
例えば、出力部１１は、電気ケーブルである。出力部１１は、検出部１０と電気的に接続される。出力部１１は、移動案内部１５が摩耗粉にかかる磁力により磁力発生部１２の方向に移動した際に受け部１３と接触した際に電気信号を出力し得るように設けられる。
【００２８】
以上で説明した実施の形態１によれば、吸着部９が摩耗粉を吸着したことを検出した際、出力部１１は、検出結果を示す信号を巻上機２の外部に出力する。このため、巻上機２の内部において摩耗粉が発生したことを外部に報知できる。その結果、巻上機２の軸受８が摩耗して破損することを事前に防止できる。
【００２９】
また、巻上機２の軸受８が破損することを事前に防止することにより、エレベーターが長期間停止することを防止できる。
【００３０】
また、吸着部９は、軸受８の下方に設けられる。このため、摩耗粉が蓄積しやすい個所で摩耗粉を確実に検出することができる。
【００３１】
また、受け部１３は、磁力発生部１２が発生した磁力により磁力発生部１２の方向に移動する摩耗粉の進行を妨げる。このため、摩耗粉が磁力発生部１２に直接吸着されることを防止できる。その結果、吸着部９のメンテナンス性を向上することができる。
【００３２】
また、弾性部１４は、受け部１３に対して磁力発生部１２から離れる方向への荷重をかける。このため、検出部１０は、摩耗粉の有無に応じて動作状態を変化させる。その結果、摩耗粉の有無に応じて適切な信号を外部に出力することができる。
【００３３】
また、出力部１１は、巻上機２の排油口４を介して巻上機２の外部に引き出される。このため、巻上機２を複雑な構成とすることなく、巻上機２の内部において摩耗粉が発生したことを外部に報知できる。
【００３４】
なお、Ｌ字のパイプ５を回転させて、パイプ５の開口部を下向きにすれば、油が排出される。このため、巻上機２を複雑な構成とすることなく、油の排出と摩耗粉の検出とを両立させることができる。
【００３５】
また、移動案内部１５は、受け部１３の移動を水平方向に案内する。このため、摩耗粉の有無に応じて吸着部９を円滑に移動させることができる。
【００３６】
実施の形態２．
図６と図７とは実施の形態２におけるエレベーターの巻上機の摩耗粉検出装置の詳細を説明するための図である。
【００３７】
図６と図７とに示されるように、実施の形態２の移動案内部１５は、筒状に設けられる。移動案内部１５は、吸着部９と検出部１０とを内蔵する。移動案内部１５は、吸着部９の移動を水平方向に案内し得るように設けられる。
【００３８】
以上で説明した実施の形態２によれば、移動案内部１５は、受け部１３の移動を水平方向に案内する。このため、摩耗粉の有無に応じて吸着部９を円滑に移動させることができる。
【００３９】
なお、実施の形態１および実施の形態２の摩耗粉検出装置３において、内視鏡の技術を適用して吸着部９を軸受８の直下に配置してもよい。この際、摩耗粉検出装置３の先端にカメラを搭載し、カメラの映像を巻上機２の外部に出力しても、巻上機２の内部において摩耗粉が発生したことを外部に報知できる。
【符号の説明】
【００４０】
１  機械室、  ２  巻上機、  ３  摩耗粉検出装置、  ４  排油口、  ５  パイプ、  ６  ギヤ、  ７  回転軸、  ８  軸受、  ９  吸着部、  １０  検出部、  １１  出力部、  １２  磁力発生部、  １３  受け部、  １４  弾性部、  １５  移動案内部
【図１】
2019177995.tif 000003
【図２】
2019177995.tif 000004
【図３】
2019177995.tif 000005
【図４】
2019177995.tif 000006
【図５】
2019177995.tif 000007
【図６】
2019177995.tif 000008
【図７】
2019177995.tif 000009